(57)【要約】【課題】  本発明は、工場における作業ミス又は誤作動、その他なんらかの不具合によって特殊モードの状態の電気機器を工場から出荷してしまった場合、或いはユーザの使用環境における何らかの不具合により、客先で電気機器が特殊モード状態になってしまった場合においても、ユーザに意識させることなく特殊モード状態を解除し通常モード状態に移行できるようにした電気機器を提供することを目的とする。【解決手段】  電気機器において、当該電気機器の現在のモード状態を記憶する現モード状態記憶部４１dおよび当該電気機器の現在のモード状態を判別する現モード状態判別部４１aおよびモード状態切替信号の設定ができ、当該モード状態切替信号と現在のモード状態に応じた制御を行う制御部４１bを備え、特殊モード状態から通常モード状態への切替えのための前記モード状態切替信号として、当該電気機器本体の電源スイッチの入力信号を用いる。【選択図】  図４
2005182598.tif 000002
【特許請求の範囲】
【請求項１】
工場の各製造工程に応じた所定の動作を行うための特殊モードと、製品としての通常の使用時の動作を行うための通常モードとを有する電気機器において、当該電気機器の現在のモード状態を判別する現モード状態判別手段と、前記特殊モード状態から前記通常モード状態へと切替える特殊モード状態解除手段と、前記電気機器へ入力されるキー操作を判別するキー判別手段とを備えた制御手段を有し、前記特殊モード状態から前記通常モード状態への切替えのためのモード状態切替信号として、前記キー判別手段に入力される当該電気機器本体の電源スイッチの入力信号を用いたことを特徴とする特殊モード状態解除機能を備えた電気機器。
【請求項２】
請求項１記載の電気機器において、前記特殊モード状態から前記通常モード状態への切替えのための前記モード状態切替信号として、前記キー判別手段に入力される当該電気機器の本体に備えられた本体キーのうちの特定のキーの入力信号を用いたことを特徴とする特殊モード状態解除機能を備えた電気機器。
【請求項３】
請求項１記載の電気機器において、前記特殊モード状態から前記通常モード状態への切替えのための前記モード状態切替信号として、前記キー判別手段に入力される当該電気機器の本体に備えられた任意の本体キーの入力信号を用いたことを特徴とする特殊モード状態解除機能を備えた電気機器。
【請求項４】
請求項１乃至請求項３の何れか一つに記載の電気機器において、前記電気機器にリモコン操作信号を受信するための受信手段を備えることにより、リモコン装置による操作が可能である特殊モード状態解除機能を備えた電気機器。
【発明の詳細な説明】
【技術分野】
【０００１】
本発明は、工場の各製造工程に応じた所定の動作を行うための特殊モードと、製品としての通常の使用時の動作を行うための通常モードとを有する電気機器であって、特殊モード状態の解除機能を備えた電気機器に関する。
【背景技術】
【０００２】
近年のオーディオ・ビデオ機器に代表される電気機器は、高機能化・多機能化が進み、これに応じて当該電機機器の工場の各製造工程における各種機能の設定や、動作テストなどが必須となっている。
【０００３】
このような工場の各製造工程における各種機能の設定や、動作テストなどは、これらの動作を行うための専用のモード（以下特殊モード）にて行われる。すなわち、当該電気機器を製品として普通に使用するためのモード（以下通常モード）とは異なるモードであり、特殊モード状態においては、当該電気機器を製品として普通に使用するための操作は受け付けないか、或いは、当該操作に対応する通常動作とは異なる動作が行われるのが普通である。通常モードと特殊モードでは、マイコンの受け付けるコード信号が異なるためである。
【０００４】
従って、特殊モード状態ではユーザが当該電気機器の通常使用をすることができないため、工場から当該電気機器を出荷する際には、特殊モード状態を解除し、通常モード状態に設定する必要があり、当該通常モード状態への移行は専用の冶具や特殊操作などにより行われている。
【０００５】
オーディオ・ビデオ機器に代表されるリモコン装置を有する電気機器においては、特殊モード状態への移行及び特殊モード状態時の操作及び特殊モード状態の解除操作は、通常操作のためのリモコン装置とは異なる特殊モード専用のリモコン装置（以下特殊リモコン装置）によって行われている。多様な製品を生産する製造ラインにおいて、複数の製品の特殊モードのコード信号を共通化することにより、生産効率を上げるためである。図８はこのような従来の特殊リモコン装置によるモード状態切替えの動作を示すフローチャートである。
【０００６】
特殊モードにおける各種動作の制御方法などが、特許文献１または特許文献２などによって開示されている。
【０００７】
【特許文献１】特開２００１−２１９３２４号公報
【特許文献２】特開２００２−２３８０６３号公報
【発明の開示】
【発明が解決しようとする課題】
【０００８】
上記したごとく、電気機器が特殊モード状態にある場合においては、当該電気機器を製品として普通に使用するための操作は受け付けないか、或いは、当該操作に対応する通常動作とは異なる動作が行われるのが普通である。従って、工場における作業ミス又は誤作動、その他なんらかの不具合によって特殊モードの状態の電気機器を工場から出荷してしまった場合、或いはユーザの使用環境における何らかの不具合により、客先で電気機器が特殊モード状態になってしまった場合には、当該電機機器の通常の操作ができず、ユーザから不良品として扱われる問題があった。
【０００９】
加えて、特殊モード状態を解除するための操作が、専用の装置（特殊リモコン装置など）のみによって行われる電気機器においては、ユーザ側のみでは当該電気機器を通常モード状態に戻すことができないため、当該電気機器を返品してもらうか、或いはサービスマンが前記専用装置を持ってユーザを訪問するという対応を取らざるを得ないという問題があった。一方、このような不都合を避けるため、なんらかの特殊な操作（本体キーとリモコンの同時押しなど）を、特殊モード状態解除方法として設定することにより、ユーザ側のみで特殊モード状態を解除し、通常モード状態に移行することができるようにした電気機器もある。しかしこの場合にもユーザになんらかの負担（当該電気機器の取扱説明書を確認する・販売店等に問い合わせるなど）を強いることに変わりは無い。この負担は電気機器の操作などを苦手とするユーザに顕著となり、場合によっては、結局、当該電気機器を返品してもらうか、或いはサービスマンがユーザを訪問するという対応を取らざるを得ないということも生じ得る問題があった。
【００１０】
本発明は、工場における作業ミス又は誤作動、その他なんらかの不具合によって特殊モードの状態の電気機器を工場から出荷してしまった場合、或いはユーザの使用環境における何らかの不具合により、客先で電気機器が特殊モード状態になってしまった場合においても、ユーザに意識させることなく特殊モード状態を解除し通常モード状態に移行できるようにすることによって、ユーザ及び製造者及び販売者などの負担を生じさせない特殊モード解除機能を備えた電気機器を提供することを目的とする。
【課題を解決するための手段】
【００１１】
本発明の請求項１の特殊モード状態解除機能を備えた電気機器は、工場の各製造工程に応じた所定の動作を行うための特殊モードと、製品としての通常の使用時の動作を行うための通常モードとを有する電気機器において、当該電気機器の現在のモードの状態を判別する現モード状態判別手段と、前記特殊モード状態から前記通常モード状態へと切替える特殊モード状態解除手段と、前記電気機器へ入力されるキー操作を判別するキー判別手段とを備えた制御手段を有し、前記特殊モード状態から前記通常モード状態への切替えのためのモード状態切替信号として、前記キー判別手段に入力される当該電気機器本体の電源スイッチの入力信号を用いたことを特徴とする。
【００１２】
請求項１の構成により、電気機器本体に電源が供給されると、制御手段により、現モード状態判別手段により現在のモード状態が通常モード状態であるのか、それとも特殊モード状態であるのかが判別される。現在のモード状態が通常モード状態である場合には、通常の動作が行われ、特殊モード状態で動作することはない。一方、現在のモード状態が特殊モード状態である場合には、製造ライン上での各製造工程における各種機能の設定や、動作テストが行われる。こうして、各種機能の設定、動作テストが完了した後、通常モード状態に移行する。これは、電気機器本体へのキー操作により、電気機器本体の電源スイッチがオンされた場合、キー判別手段によりモード状態切替信号が特殊モード状態解除手段に出力され、特殊モード状態から通常モード状態へと切替わる。これにより、仮に特殊モード状態で出荷された場合でも、ユーザーが電気機器本体の電源スイッチをオンした時点で通常モード状態へと自動的に移行する。
【００１３】
また、本発明の請求項２の特殊モード状態解除機能を備えた電気機器は、請求項１記載の電気機器において、前記特殊モード状態から前記通常モード状態への切替えのための前記モード状態切替信号として、前記キー判別手段に入力される当該電気機器の本体に備えられた本体キーのうちの特定のキーの入力信号を用いたことを特徴とする。
【００１４】
請求項２の構成により、電気機器の本体に備えられた本体キーのうちの特定のキー操作を行うと、キー判別手段によりモード状態切替信号が特殊モード状態解除手段に出力され、特殊モード状態から通常モード状態へと切替わる。
【００１５】
また、本発明の請求項３の特殊モード状態解除機能を備えた電気機器は、請求項１記載の電気機器において、前記特殊モード状態から前記通常モード状態への切替えのための前記モード状態切替信号として、前記キー判別手段に入力される当該電気機器の本体に備えられた本体キーのうちの任意のキーの入力信号を用いたことを特徴とする。
【００１６】
請求項３の構成により、電気機器の本体に備えられた本体キーのうちの任意のキー操作を行うと、キー判別手段によりモード状態切替信号が特殊モード状態解除手段に出力され、特殊モード状態から通常モード状態へと切替える。
【００１７】
さらに、本発明の請求項４の特殊モード状態解除機能を備えた電気機器は、請求項１乃至請求項３の何れか一つに記載の電気機器において、前記電気機器にリモコン操作信号を受信するための受信手段を備えることにより、リモコン装置による操作が可能であることを特徴とする。
【００１８】
リモコン装置により電気機器の操作を行える当該電気機器において、本体の電源スイッチのオン・オフ又は本体キーの入力が行われると、この入力信号が受信手段からキー判別手段に出力され、キー判別手段によって、電源スイッチのオン・オフ又は本体キーの入力が行われた際、キー判別手段からキー判別手段によりモード状態切替信号が特殊モード状態解除手段に出力され、特殊モード状態から通常モード状態へと切替わる。
【発明の効果】
【００１９】
本発明の請求項１の特殊モード状態解除機能を備えた電気機器によれば、自らが製造される工場のライン上で製造の各工程に応じた所定の動作を行うための特殊モードと、製品としての通常の使用時の動作を行うための通常モードとを有する電気機器において、当該電気機器の現在のモード状態を判別する現モード状態判別手段と、前記特殊モード状態から前記通常モード状態へと切替える特殊モード状態解除手段と、前記電気機器へ入力されるキー操作を判別するキー判別手段とを備えた制御手段を有し、前記特殊モード状態から前記通常モード状態への切替えのためのモード状態切替信号として、前記キー判別手段に入力される当該電気機器本体の電源スイッチの入力信号を用いたものであるから、当該電気機器の電源スイッチの入力信号が特殊モード状態から通常モード状態への切替えのためのモード状態切替信号として用いられるため、特別な装置又は操作によることなく特殊モード状態を解除させることができる。従って、工場における作業ミス又は誤作動、その他なんらかの不具合によって特殊モード状態の電気機器を工場から出荷してしまった場合であっても、当該製品を使用するための前提である電源スイッチを入れるという行為により、当該電気機器は特殊モード状態から通常モード状態に切替わるため、ユーザに意識させることなく通常モード状態へ円滑に移行させることができる。
【００２０】
又、ユーザの使用環境における何らかの不具合により、客先で電気機器が特殊モード状態になってしまい、リモコン装置による当該電気機器の操作が全くできなくなってしまったような場合等においても、電源スイッチのオン・オフにより通常モード状態へ円滑に移行させることができる。すなわち、特殊モード状態においては通常のリモコン装置からの信号を当該電気機器本体が受け付けなくなるのが普通であり、ユーザが使用中の電気機器が特殊モード状態になってしまった場合は、リモコン操作ができない状態となってしまう。このような場合、ユーザの直感的行動として、電気機器の本体に備えられた本体キーを操作してみること、或いは、電源スイッチを入れなおしてみることが上げられ、ユーザがこのような行動に及ぶ確立は非常に高い。従って、このようなユーザの直感的な操作を特殊モード状態解除の操作として設定することにより、ユーザに過度の負担をかけることなく、有効に、当該電気機器を通常モード状態へ移行させることができる。
【００２１】
また、本発明の請求項２の特殊モード解除機能を備えた電気機器によれば、請求項１記載の電気機器において、前記特殊モード状態から前記通常モード状態への切替えのための前記モード状態切替信号として、前記キー判別手段に入力される当該電気機器の本体に備えられた本体キーのうちの特定のキーの入力信号を用いたものであるから、ユーザが電気機器の本体に備えられた本体キーを操作することにより、電気機器を通常モード状態へ移行させることができる。
【００２２】
また、本発明の請求項３の特殊モード状態解除機能を備えた電気機器によれば、請求項１記載の電気機器において、前記特殊モード状態から前記通常モード状態への切替えのための前記モード状態切替信号として、前記キー判別手段に入力される当該電気機器の本体に備えられた本体キーのうちの任意のキーの入力信号を用いたものであるから、ユーザが電気機器の本体に備えられた本体キーを操作することにより、電気機器を通常モード状態へ移行させることができる。
【００２３】
さらに、本発明の請求項４の特殊モード状態解除機能を備えた電気機器によれば、請求項１乃至請求項３の何れか一つに記載の電気機器において、前記電気機器にリモコン操作信号を受信するための受信手段を備えることにより、前記電気機器の操作をリモコン装置によりおこなえる前記電気機器においても、本体電源スイッチのオン・オフ又は本体キーの入力によって前記電気機器は、通常モード状態へ移行することができる。
【発明を実施するための最良の形態】
【００２４】
以下、本発明の具体的実施例について、図面を参照しながら説明する。なお、以下の実施態様は、本発明を具体化する際の一形態であって、本発明をその範囲内に限定するためのものではない。
【実施例１】
【００２５】
図３は本発明の電気機器の一つの実施例である光ディスク記録再生装置１の斜視図であり、図１は当該光ディスク記録再生装置１の一部の概略を示すブロック図、図２は当該光ディスク記録再生装置の動作を示すフローチャートである。
【００２６】
当該光ディスク記録再生装置１は、制御手段たるマイコン１１・電源部１５・リモコン装置１２・受信手段たる受光部１３・本体キー部１４を備える。リモコン装置１２は当該光ディスク記録再生装置の通常操作をするためのものであり、受光部１３はリモコン装置１２からの信号を受ける装置、本体キー部１４は当該光ディスク記録再生装置１を操作するために本体２に設けられた電源スイッチ３ａを含む複数のスイッチ３を備えている。また、電源部１５は商用電源から当該光ディスク記録再生装置１に電源を供給する装置である。
【００２７】
マイコン１１は、特殊モード状態から通常モード状態への切替えのための制御を行うものであって、前記受光部１３または本体キー部１４から送られる入力信号を受信するキー判別手段たるキー判別部１６、光ディスク記録再生装置１の現在のモードを判別する現モード判別手段たる現モード状態判別部１１a及び特殊モード状態解除手段たる特殊モード状態解除部１１ｂ及び特殊モード状態解除に伴う処理を行う解除動作指示部１１c及び解除制御部１１ｄを備える。
【００２８】
なお、特殊モードとは、工場のライン上での各製造工程における、光ディスク記録再生装置１の各種機能の設定や動作テストなどで使用される光ディスク記録再生装置１の動作モードの一つをいい、工場モード・設定モードなどとも呼ばれるものであり、特殊モードという名称に拘泥されるものではない。同様に、通常モードとは、光ディスク記録再生装置１を製品として普通に使用するためのモードをいい、通常モードという名称に拘泥されるものではない。
【００２９】
以上にように構成される本実施例において、特殊モード状態解除に伴う動作について説明する。電源部１５が通電すること（ステップ２１）により、マイコン１１は起動し、現モード状態判別部１１aにより現在のモード状態が通常モード状態であるのか、それとも特殊モード状態であるのかが判断される（ステップ２２）。ステップ２２で判断された現在のモード状態が通常モード状態である場合には、通常処理２４により、通常の動作が行われ、特殊モード状態解除部１１b・解除動作指示部１１c及び解除制御部１１dが動作することはない。
【００３０】
一方、ステップ２２で判断された現在のモード状態が特殊モード状態である場合には、本体キー部１４に設けられたスイッチ３，３ａの操作が行われると、この信号がキー判別部１６に入力され、キー判別部１６から特殊モード状態から通常モード状態へと切替えるモード状態切替信号が特殊モード状態解除部１１ｂへ出力される。ここで、特殊モード状態解除部１１ｂで出力されるモード状態切替信号は、光ディスク記録再生装置１の本体キー部１４に設けられたスイッチ３，３ａをオンした際の入力信号であり、この入力信号がモード状態切替信号としてキー判別１６から特殊モード状態解除部１１ｂに出力される。これにより、特殊モード状態解除部１１b・解除動作指示部１１c及び解除制御部１１dによって特殊モード状態が解除され、通常モード状態へと移行する。
【００３１】
図８に示されるように、従来の特殊リモコン装置によるモード状態切替えの動作によれば、工場出荷前にステップ８１の特殊モード状態解除操作を怠った或いは、何らかの不具合により特殊モード状態解除動作が行われずに製品が出荷されてしまった場合には、ユーザ側がステップ８２の通常モード状態にするための特殊な操作を行わなければならなかったが、本実施例の光ディスク記録再生装置１によれば、当該光ディスク記録再生装置１が電源に接続された段階で通常モード状態であるのか、それとも特殊モード状態であるのかが判断され、仮に特殊モード状態であった場合には、本体キー部１４に設けられたスイッチ３，３ａの操作があった段階で、通常モード状態へと自動的に移行するので、工場における作業ミス又は誤作動、その他なんらかの不具合によって特殊モードの状態の製品を工場から出荷してしまった場合であっても、ユーザに意識させることなく円滑に通常モードへ移行させることができる。
【００３２】
すなわち、特殊モード状態においては通常のリモコン装置１２からの信号を光ディスク記録再生装置１が受け付けなくなるのが普通であり、ユーザが使用中の光ディスク記録再生装置１が特殊モード状態になってしまった場合は、リモコン操作ができない状態となってしまう。このような場合、ユーザの直感的行動として、光ディスク記録再生装置１をオン・オフするための電源スイッチ３ａを操作し、さらには電源コンセントの抜き差しをすることがあげられる。従って、このようなユーザの直感的な操作を特殊モード状態解除の操作として設定することにより、ユーザに過度の負担をかけることなく、有効に光ディスク記録再生装置１を通常モード状態へ移行させることができる。
【実施例２】
【００３３】
本実施例は、電気機器としてテレビジョン受信機１aを用いた場合にして説明する。図４は本実施例のテレビジョン受信機１aの一部の概略を示すブロック図、図５は当該テレビジョン受信機１aの動作を示すフローチャートであり、図６は当該テレビジョン受信機１aの斜視図である。
【００３４】
当該テレビジョン受信機１aは、マイコン４１・電源部４５・リモコン装置４２a・受光部４３・本体キー部４４を備える。リモコン装置４２aは、当該テレビジョン受信機１aの製品としての通常動作を操作するためのもので、当該テレビジョン受信機１aの製品の一部を構成するものである。このリモコン装置４２aとは別に工場の製造ラインにおける各種機能設定や動作テストなどを行う特殊モードでは特殊リモコン装置４２bを用いテレビジョン受信機１aの操作を行うものであり、テレビジョン受信機１aの製品には含まれない。本実施例のテレビジョン受信機１aでは、工場の製造ラインにおける各種機能設定や動作テストなどを行う特殊モードへの移行のための特殊モード状態切替信号（ステップ５３a）は、特殊リモコン装置４２bにより発せられ、各種機能設定などの特殊動作の操作信号（ステップ５５b）も当該特殊リモコン装置４２bにより発せられる。
【００３５】
受光部４３は通常のリモコン装置４２a及び特殊リモコン装置４２bからの信号を受ける装置、本体キー部４４は当該テレビジョン受信機を操作するために本体に設けられた複数のスイッチ４６と電源スイッチ４４ａを備えている。電源部４５は商用電源から当該テレビジョン受信機１ａに電源を供給する装置である。マイコン４１は、当該テレビジョン受信機の動作を制御する装置であり、マイコン４１に備えられる現モード状態判別部４１aは、当該テレビジョン受信機の現在のモード状態を判別する部位であり、現モード状態記憶部４１dは当該テレビジョン受信機の現在のモードを記憶する部位である。マイコン４１に備えられる特殊モード状態解除手段たる制御部４１bはモード状態切替信号の設定をすることができ、当該制御部４１bと通常処理部４１e又は特殊処理部４１fにより当該テレビジョン受信機１ａの動作が制御される。
【００３６】
電源部４５に備えられる電源コンセント４５aが接続されること（ステップ５１）により、マイコン４１は起動し、現モード状態判別部４１aにより現在のモード状態が通常モード状態であるのか、それとも特殊モード状態であるのかが判断される（ステップ５２）。
【００３７】
ステップ５２で判断された現在のモード状態が通常モード状態である場合には、電源スイッチ４４ａの入力待ち（ステップ５３b）と共に特殊モード状態切替信号の有無の確認（ステップ５３a）が、電源ON待ちループ５３において行われる。ここで、特殊モード状態切替信号があった場合には、現モード状態記憶部４１dに特殊モード状態を設定し（ステップ５７a）、特殊モード状態へ移行する（ステップ５７b）。電源ON待ちループ５３において特殊モード状態切替信号が無く、電源スイッチ４４ａの入力があった場合には、通常処理ループ５４の動作が、キー判別部４１g及び制御部４１b及び通常処理部４１eにより行われることにより、当該テレビジョン受信機の通常の動作（通常リモコン装置４２aからのキー入力又は本体キー部４４からのキー入力に応じた通常動作）が行われる。通常処理ループ５４において電源スイッチ４４aがOFFになった場合には、ステップ５２からの動作を繰り返す。
【００３８】
ステップ５２で判断された現在のモード状態が特殊モード状態である場合には、電源スイッチ４４ａの入力の有無の判断（ステップ５５a）と共に特殊モード操作信号の有無の判断（ステップ５５b）が、特殊信号待ちループ５５において行われる。ここで、特殊モード操作信号があった場合には、特殊動作処理ループ５６の動作が、キー判別部４１g及び制御部４１b及び特殊処理部４１fにより行われることで、当該テレビジョン受信機の各種機能設定や動作テストなどの特殊動作（特殊リモコン装置４２bからのキー入力に応じた特殊動作）が行われる。特殊信号待ちループ５５において、電源スイッチ４４ａの入力があった場合には現モード状態記憶部４１dに通常モード状態を設定し（ステップ５８a）、通常モード状態へ移行する（ステップ５８b）。
【００３９】
テレビジョン受信機１ａが工場から出荷される際には、通常モード状態に設定されているのが原則であるが、仮に特殊モード状態のまま出荷されてしまっても、本実施例のテレビジョン受信機１ａによれば、テレビジョン受信機１ａを使用するための前提である電源スイッチ４４aの入力により、自動的に通常モード状態へと移行するため、ユーザに意識させること無く、円滑にテレビジョン受信機１ａを通常使用可能状態とすることができる。
【００４０】
又、客先でテレビジョン受信機１ａが特殊モード状態になってしまった場合であっても、テレビジョン受信機１ａの電源スイッチ４４ａの入れなおしにより、通常モード状態に復帰することができる。テレビジョン受信機１ａの動作がおかしくなった場合に、電源スイッチ４４ａを入れなおしてみることは、ユーザの最も取り易い行動の一つであり、このような動作を復帰のための操作とすることで、有効に当該テレビジョン受信機１ａを通常使用可能状態にすることができ、且つ、ユーザへの負担を最小限にすることができる。
【実施例３】
【００４１】
図７は本発明の別の実施例であるテレビジョン受信機１ａの動作を示すフローチャートである。本実施例のテレビジョン受信機１ａの構成は実施例２と同様であり、ここでの説明を省略する。また、図７におけるステップ５１ｘ・ステップ５２ｘ・電源ON待ちループ５３ｘ及び特殊動作処理ループ５６ｘの動作も実施例２と同様であるので、ここでの説明を省略する。特殊信号待ちループ５５ｘも実施例２と同様の動作であるが、特殊モード状態から通常モード状態への切替えのためのモード状態切替信号が本体キー部４４に設けられたスイッチ４６若しくは電源スイッチ４４aの任意の入力操作となっている点が異なる。
【００４２】
通常処理ループ７０では、キー入力（リモコン装置４２aによる入力と本体キー部４４に設けられたスイッチ４６の入力の双方を含む）があった際に現在のモード状態が通常モード状態であるか、特殊モード状態であるかの判断を行い（ステップ７０ｂ）、当該テレビジョン受信機１ａが、通常モード状態である場合には、通常動作を行い、特殊モード状態である場合には、本体キー入力待ちループ７７で本体キー部４４の入力を待ち、入力があった場合には、現モード状態記憶部に通常モード状態を設定し（ステップ７２a）、通常モード状態へ移行する（ステップ７２b）。
【００４３】
本実施例の構成によれば、ユーザが使用中のテレビジョン受信機が、なんらかの原因により特殊モード状態に移行してしまった場合であっても、現モード状態の判別をキー入力（リモコン装置４２ａによる入力と本体キー部４４の入力の双方を含む）があるたびに行っているので、電源スイッチ４４ａの入れなおしをするまでも無く、即座に通常モードへ移行させることができる。すなわち、使用中のテレビジョン受信機１ａがなんらかの原因で特殊モード状態に移行してしまい、これにより通常モードのコード信号をテレビジョン受信機１ａに内蔵されたマイコンが受け付けない状態になり、通常リモコン装置４２ａによるテレビジョン受信機１ａの操作ができなくなったような場合においても、テレビジョン受信機１ａに内蔵されたマイコンは、通常リモコン装置４２ａのキー入力があったこと自体は判別できるため、通常リモコン装置４２ａのキー入力または本体キー部４４の入力があったことを契機として現モード状態の判別を行い、本体キー入力待ちループ７７により本体キー部４４の入力があると同時に通常モードへ復帰させることができるのである。ユーザにしてみれば、突然リモコン装置４２ａの操作ができなくなってしまったような場合には、何度かリモコン装置４２ａのキー入力を試してみた後に、本体キー部４４の操作をしてみるのが直感的動作であり、本実施例によれば、このような動作により当該テレビジョン受信機１ａは自動的に通常モードへと移行するので、ユーザに負担をかけることなく有効にテレビジョン受信機１ａは通常使用可能状態となるのである。
【００４４】
以上、理解の容易のために電気機器としてＡＶ機器である光ディスク記録再生装置とテレビジョン受信機を実施例として説明したが、本発明はＡＶ機器に限られるものではなく、家庭用熱器具、冷暖房器具などであり、ＡＶ機器とは例えば、テレビ、ＶＴＲ、ＤＶＤ再生／記録装置、ＨＤＤ再生／記録装置、ラジオ、ＲＥＣＯＲＤ  ＰＬＡＹＥＲ、ＣＡＳＥＴＴＥ  ＤＥＣＫ、ＨＯＭＥ  ＴＨＥＡＴＥＲ  ＳＹＳＴＥＭ、ＡＵＤＩＯ  ＣＯＭＰＯＮＥＮＴ  ＳＹＳＴＥＭ、ＡＶアンプ、ＭＤ記録／再生装置、ＬＡＳＥＲ  ＤＩＳＣ  ＰＬＡＹＥＲなどである。家庭用熱器具とは例えば、電子レンジ、オーブンレンジ、トースター、ＩＨクッキングヒーター、アイロンなどであり、冷暖房器具とは、例えば、エアコン、ファンヒーター、電気毛布、電気カーペット、扇風機などである。さらに本発明に係る電気機器は、冷蔵庫、洗濯機、布団乾燥機、衣類乾燥機、除湿機、加湿器、ウォシュレット付き便座、換気システム、パソコン、携帯電話、電話、時計、デジタルカメラ、ビデオカメラ、掃除機、ゲーム機、プロジェクターなどを含むものである。
【００４５】
以上のように、本発明は、各種電気機器の性質に合わせて、特殊モード状態から通常モード状態への切替えのためのモード状態切替信号を設定することにより、有効に当該電気機器を通常使用可能状態にすることができる。一例を上げれば、扉部又は蓋部などを有する電気機器であって、使用する際に当該扉又は蓋などを開閉するような電気機器に対しては、当該扉又は蓋などの開閉により特殊モード状態を解除させるようにすることで、ユーザに意識させること無く有効に当該電気機器を通常使用可能状態にすることができる。
【図面の簡単な説明】
【００４６】
【図１】本発明の実施例である、光ディスク記録再生装置の一部の概略を示すブロック図
【図２】実施例１の光ディスク記録再生装置の動作を示すフローチャート
【図３】実施例１の光ディスク記録再生装置の斜視図
【図４】実施例２のテレビジョン受信機の一部の概略を示すブロック図
【図５】実施例２のテレビジョン受信機の動作を示すフローチャート
【図６】実施例２のテレビジョン受信機の斜視図
【図７】実施例３のテレビジョン受信機の動作を示すフローチャート
【図８】従来の通常モードへの移行動作を示すフローチャート
【符号の説明】
【００４７】
１  光ディスク記録再生装置（電子機器）
３ａ，44ａ    電源スイッチ
１１，４１    マイコン（制御手段）
１１ａ，４１ａ        現モード状態判別手段
１１ｂ  特殊状態モード解除部（特殊モード状態解除手段）
１３，４３    受光部（受信手段）
１４    本体キー部
１２，４２ａ  リモコン装置
１６，４１ｇ  キー判別手段
４１ｂ    制御部（特殊モード状態解除手段）
【図１】
2005182598.tif 000003
【図２】
2005182598.tif 000004
【図３】
2005182598.tif 000005
【図４】
2005182598.tif 000006
【図５】
2005182598.tif 000007
【図６】
2005182598.tif 000008
【図７】
2005182598.tif 000009
【図８】
2005182598.tif 000010